(57)【要約】【課題】  限られた展示領域を最大限度に利用でき、レイアウト性も良好で、商品の入れ換え展示も容易な商品陳列棚及びこれに用いるトレイ状の棚ユニットを提供する。【解決手段】  縦横に組み合わされたフレーム１２の外面に立設状態に支持され、全面に縦横所定配列で開口された多数の係止孔２４を有する壁板１４と、各係止孔２４に懸架状態に着脱自在に支持され、かつ商品を立て掛けた状態に保持する複数のトレイ状の棚ユニット２６を具備する。【選択図】      図３
2005168985.tif 000002
【特許請求の範囲】
【請求項１】
全面に縦横所定配列で開口された多数のスリット状の係止孔を有する壁板と、該係止孔に懸架状態に脱着自在に支持する複数の略断面Ｌ形のフックを有するフック部と、商品を立て掛けた状態に保持する複数の棚ユニットからなり、各棚ユニットの背面にフック部が取り付けられ、壁板に脱着自在に支持されたことを特徴とする商品陳列棚。
【請求項２】
縦横に組み合わされたフレームの前面に立設状態に支持された前記壁板を有する壁板ユニットを具備することを特徴とする請求項１に記載の商品陳列棚。
【請求項３】
縦横に組み合わされたフレームの前後面に立設状態に支持された前記壁板を有する壁板ユニットを具備することを特徴とする請求項１に記載の商品陳列棚。
【請求項４】
壁板に設けたスリット状の係止孔に着脱自在に懸架される棚ユニットにおいて、背板と底板とが断面略Ｌ形をなして一体化され、かつ底板の前部には商品保持用の立ち上げ部を立設した商品保持用棚板部と、棚板部の両側に設けられた側板部と、棚ユニットの背面上部に取り付けられた複数の略断面Ｌ形のフックを有するフック部とを具備することを特徴とする棚ユニット。
【請求項５】
棚ユニットの背面上部に取り付けられた前記フック部による前記壁板のスリット状の係止孔への係止状態において、フック部の基部を回動基点として、棚ユニットの後縁が自重により壁板に当たることで、前記棚板部を所定の後傾角度に保持するものであることを特徴とする請求項４記載の棚ユニット。
【発明の詳細な説明】
【技術分野】
【０００１】
本発明はＤＶＤ，ＣＤなどの薄型ソフトパッケージ商品を展示するのに好適な商品陳列棚及びこれに取り付けられる棚ユニットに関する。
【背景技術】
【０００２】
ビデオ販売店、ビデオレンタルショップなどにおいてＤＶＤ，音楽ＣＤ、ＣＤ−ＲＯＭなどのソフトパッケージなどの商品の販売を行う場合には、店側では実際の商品を陳列棚に陳列し、ユーザは展示されている各種ソフトパッケージから気に入ったメディアソフトを手にとって選択し、受付に持っていき購入またはレンタル手続きを行う。
【０００３】
なお、ＤＶＤ，ＣＤパッケージは寸法そのものが小さく薄型のメディア媒体であるため、表示を目立たせ、ユーザに対して注意を喚起するためには表面に印刷されているタイトルを展示側に向けて販売、貸し出ししなければならない。
【０００４】
それ故、本やカセットビデオテープなどのように背表紙を展示側に向けた販売方法に比べると、陳列棚一面では収納枚数に限りがある。
【０００５】
そこで、販売方法の一つとしてとして、陳列棚には空のパッケージを一枚だけ展示しておき、陳列棚からユーザが気に入ったソフト内容を表示した空のパッケージを受付に持っていけば、店側では在庫してある実際のコンテンツが収蔵されたパッケージに交換し、かつ空のパッケージを元の陳列場所に戻す作業を行う方法がある。
また、コンテンツが入っているパッケージを展示販売している場合でもその位置が空になった場合に、同じものを展示面に直ちに補填する作業が行われている。
これによって展示面積に限りがある場合であっても、常時多種類、多数のソフトを展示状態に保つことができ、入れ替えも簡単であるため在庫管理も容易となる。
【発明の開示】
【発明が解決しようとする課題】
【０００６】
しかしながらこのような販売方法では、購入の都度店員が入れ替え作業や、補填作業を行わなければならないため、作業が面倒であった。
また、このように薄型ソフトパッケージのタイトルを展示側に向けて配列した場合、パッケージを陳列棚の壁面に単に傾斜状態に立て掛けておいたのでは不安定であり、地震などの振動があると簡単に倒れ込んだり脱落しやすく、また入れ替え時などに隣り合うパッケージ同士が干渉して脱落してしまうおそれも生ずる。
さらにこのような倒れ込み、脱落防止構造を陳列棚そのものに組み込んだのでは、構造が複雑なものとなり、製造コストも高いものとなる。また、陳列棚の配置レイアウト性にも限界があった。
【０００７】
本発明は、以上の課題を解決するものであり、その目的は、限られた展示領域を最大限度に利用でき、レイアウト性も良好で、商品の入れ換え展示も容易であり、棚の壁面に安定状態に立て掛け展示できる構造が簡単でタイトル面展示に好適な陳列棚及びこれに用いるトレイ状の棚ユニットを提供するものである。
【課題を解決するための手段】
【０００８】
前記目的を達成するための手段を図の実施の形態を参照して説明する。
本発明の商品陳列棚は、全面に縦横所定配列で開口された多数のスリット状の係止孔２４を有する壁板１４と、該係止孔２４に懸架状態に脱着自在に支持する複数の略断面Ｌ形のフック３６ｂを有するフック部３６と、商品を立て掛けた状態に保持する複数の棚ユニット２６からなり、各棚ユニット２６の背面にフック部３６が取り付けられ、壁板１４に脱着自在に支持されたことを特徴としている。
【０００９】
また、本発明では、縦横に組み合わされたフレーム１２の前面に立設状態に支持された前記壁板１４を有する壁板ユニット１０２を具備することを特徴としている。
【００１０】
また、本発明では、縦横に組み合わされたフレーム１２の前後面に立設状態に支持された前記壁板１４を有する壁板ユニット１００を具備することを特徴としている。
【００１１】
本発明の棚ユニットは、壁板１４に設けたスリット状の係止孔２４に着脱自在に懸架される棚ユニット２６において、背板３２ａと底板３２ｂとが断面略Ｌ形をなして一体化され、かつ底板３２ｂの前部には商品保持用の立ち上げ部３１を立設した商品保持用棚板部３２と、棚板部３２の両側に設けられた側板部３４と、棚ユニット２６の背面上部に取り付けられた複数（図では２個）の略断面Ｌ形のフック３６ｂを有するフック部３６とを具備することを特徴としている。
【００１２】
また、本発明に係る棚ユニットでは、棚ユニット２６の背面上部に取り付けられた前記フック部３６による前記壁板１４のスリット状の係止孔２４への係止状態において、フック部３６の基部３６ｃを回動基点として、棚ユニット２６の後縁が自重により壁板１４に当たることで、前記棚板部３２を所定の後傾角度に保持するものであることを特徴としている。
【００１３】
上記棚ユニット２６は、そのフック部３６による壁板ユニット１００の壁板１４の係止孔２４へ複数のフック３６ｂを水平に挿入した後、フック部３６の基部３６ｃを回動基点として、後縁が自重により壁板１４に当たることで、棚板部３４を所定の後傾角度に保持するものであることから、簡単に外れることがない。また、係止孔２４がフック部３６によって隠れ、美観を損なうということもない。
【００１４】
棚ユニット２６は、薄型矩形状のＤＶＤ等のソフト商品３８が前面を前側として複数枚前後方向に重ねて収納される大きさのトレイ形をなしている。棚ユニット２６には、複数枚のソフト商品３８が横方向に並設される長手のものと、一枚の商品が前後に載置される、短幅のものとがある。
【発明の効果】
【００１５】
以上の構成によれば、壁板１４に商品を保持した多数の棚ユニット２６を、上下多段に着脱自在に支持させるだけであるため、構造そのものが簡単であり、また個々の棚ユニット２６に商品が収納されているため、安定して保持される。また、商品の取り替え追加も、棚ユニット２６毎に取り外して行うことができ、作業能率も良く、商品を落とす等の事故も最小限度とすることができる。
【００１６】
本発明のトレイ形の棚ユニットにあっては、フック部の略断面Ｌ形のフックを壁板の係止孔に水平に挿入し、回動させることで係止され、棚ユニットのフック部の基部を中心とする自重回動による壁面への当接により、薄型ソフトパッケージ商品３８を安定した状態に立て掛け保持することができる、不注意により脱落することもない。
【発明を実施するための最良の形態】
【００１７】
（第１実施形態）
以下本発明の好適な実施の形態に付き添付図面を参照して詳細に説明する。図１〜図８は本発明をＤＶＤビデオパッケージの展示用陳列棚に適用した第１実施形態を示す。
まず、図１〜図３において、水平な土台１０の中央上部には縦横及び傾斜状態にフレーム１２が組み立てられ、これらフレーム１２の表裏には鉛直な上部壁板１４Ａ及び後傾側に傾斜する下部壁板１４Ｂが上下方向に連続する壁板１４が組み付けられ、さらにフレーム１２の頂部には天板１８が組み付けられている。これらは、壁板ユニット１００を構成する。
【００１８】
壁板ユニット１００の一側には、コーナー部ユニット１０１が連接されている。コーナー部ユニット１０１は、フレーム１２の一側部に取り付けられた側板２０を有し、側板２０の下半部には側面側に向けて略半円筒状に突出する突出部２２が設けられ、その上部を水平なステージ２１としている。
【００１９】
壁板１４には縦横マトリックス状に多数のスリット状の係止孔２４が開口され、各係止孔２４にトレイ状の棚ユニット２６を着脱可能に係合保持できるようにしている。図３に示すごとく、上部壁板１４Ａでは棚ユニット２６を縦二段、下部壁板１４Ｂでは縦三段分の棚ユニット２６を支持できるようになっている。
【００２０】
また突出部２２にもその円筒面に沿って複数の係止孔２４が開口され、同じく棚ユニット２６を着脱可能に支持するようになっている。
【００２１】
突出部２２上の水平なステージ２１上にはモニターテレビ２８が設置されている。このテレビ２８は展示されているＤＶＤのプロモーションビデオ映像、コマーシャル動画映像などを放映するためのものである。
【００２２】
さらに、天板１８の先端縁は断面半円筒状のフード１８ａが形成され、このフード１８ａ内には壁板１４面を照射するための蛍光管などの光源３０が配置されている。
【００２３】
これら光源３０及びテレビ２８の電源配線及びコントロール用配線は、壁板１４の裏側から引き出され、それぞれ電源やビデオコントローラなどに接続している。
【００２４】
図４乃至図７は、上記棚ユニット２６の一例をを示す。この棚ユニット２６は、複数枚の商品が横方向に並設される長手の形状である。棚ユニット２６は、背板３２ａと底板３２ｂとが断面略Ｌ形をなして一体化されたコンパクトなトレイ形であり、底板３２ｂの前縁よりやや後方に商品保持用の立ち上げ部３１を幅幅方向に沿って立設した商品保持用棚板部３２と、棚板部３２の両側に一体化された側板部３４と、棚板部３２の背板３２ａの上部にあって背面側に向けて突出したフック部３６と、側板部３４の前面下部の両端を一体に連結した半円弧状の前面板４０からなっている。
【００２５】
棚板部３２は、ＤＶＤビデオパッケージ商品３８をそのタイトルや、主人公キャラクタや物語の一場面、配給会社などの印刷などによるタイトル面３８ａを前面側として複数枚併設し、且つ３枚程度前後に重合させて収納できる幅及び奥行き寸法である。棚板部３２の底板３２ｂの前縁は、立ち上げ部３１よりも前方に突出して突出縁部５０とされている。
【００２６】
また、フック部３６は、棚板部３２の背板３２ａの左右の上部にあって背面側に向けて突出形成され、そのフック３６ｂが、壁板１４あるいは突出部２２の壁面に開口された係止孔２４に水平に挿通され、回動することにより係止されるものであ。このフック部３６は、背板３２ａの背面に固着されるベース３６ａとベースの上縁の左右に背部方向に突出形成される略断面Ｌ形のフック３６ｂとが一体に成形された形状である。
フック部３６の懸架状態でフック部の基部３６ｃを回動基点として側板部３４の後縁、若しくは棚板部３２の底板３２ｂの突出後端縁が壁板１４の各壁面に自重により当接し、棚ユニット２６を所用の後傾角度θに保持する。このような構造とするのとにより簡単に外れるということがない。
【００２７】
また、棚ユニット２６の前面下部には、上記両側板部３４に両端を一体に接着等により連結した半円弧状の前面板４０が設けられ、この前面板４０の上下位置にはこれの長手方向に沿って一対の差込保持部部４２が形成され、側面方向から展示用ラベル４４を着脱可能に挿通している。
このラベル４４は格納された商品３８の宣伝用ラベルであってもよいし、図示のごとく単にＤＶＤなどメディアを表示したラベルであってもよい。
【００２８】
上記棚ユニット２６の前面板４０の背面には、幅方向に連続して、支持片部５１が一体に突出形成されている。この支持片部５１は、図６（Ａ）に示すような板状であって、上記突出縁部５０と重合接着されている。また、図６（Ｂ）に示すような略コ状であって、上記突出縁部５０と嵌合接着されていてもよい。
【００２９】
図８は、一枚の商品３８を、前後重合状に収納懸架する、短寸の棚ユニット１２６であって、上記の棚ユニット２６に代えて、或いは、上記の棚ユニット２６と共に使用される。
【００３０】
以上により、各商品３８はタイトル面３８ａを前面に露出した状態で安定的に棚ユニット２６（１２６）に格納される。
【００３１】
また、棚ユニット２６（１２６）を壁板１４の一面に整列状態に配置された状態では、各商品３８のタイトルが壁面全体に密に表示されることになる。また、棚ユニット２６（１２６）を取り外して、商品を補充したり取り替えたりすることができる。
なお、下部壁板１４Ｂ側では壁板そのものが後傾しているため、さらに安定して格納できる。
【００３２】
また、テレビ２８で放映されている内容と同じコンテンツのパッケージなどは前記突出部２２の壁面の棚ユニット２６に格納しておけば、ユーザの購買意欲などをそそる手段として好適である。
本実施形態では、陳列棚の両側及び突出部２２の三面が売り場通路となる箇所での設置に適合できる。
【００３３】
上記第１実施例では、壁板ユニット１００とコーナー部ユニット１０１とが、共通する土台１０上に設置されているが、壁板ユニット１００とコーナー部ユニット１０１とが、別々の土台上に設置され、分離自在であってもさしつかえない。
【００３４】
（第２実施形態）
図９、図１０は、展示面を片側とした壁板ユニット１０２を使用した場合の第２実施形態を示す。図において前記第１実施形態と同一箇所には同一符号を付して説明する。
図において土台５０の一側部上部には縦横及び傾斜状態にフレーム１２が略直角三角形状に組み立てられ、これらフレーム１２の表面側にのみ鉛直な上部壁板１４Ａ及び後傾側に傾斜する下部壁板１４Ｂの連続よりなる壁板１４が組み付けられる。さらにフレーム１２の頂部には天板１８が組み付けられている。天板１８の前縁下部には略断面半円筒状のフード１８ａが形成され、このフード１８ａ内には壁板１４面を照射するための蛍光管３０が配置されている。壁板１４には縦横マトリックス状に多数の係止孔２４が開口され、各係止孔２４に棚ユニット２６を着脱可能に係合保持できるようにしている。
【００３５】
上記第２実施例の陳列棚は、壁面に沿って配置される場合など、売り場通路が陳列棚の片面である場合に適用されるほか、二本の陳列棚としての壁板ユニット１０２を背中合わせにして陳列させることができる。また、上記第１実施形態における、独立して移動可能なコーナー部ユニット１０１或いは陳列棚と、Ｔ字形などに組み合わせ、又はに交叉して配置するなど、種々のレイアウトにして配設させることができる。
【産業上の利用可能性】
【００３６】
ＤＶＤビデオパッケージのほか、音楽ＣＤ，ＣＤ−ＲＯＭなどの展示、販売またはレンタル用陳列棚などに適用可能である。
【図面の簡単な説明】
【００３７】
【図１】本発明をＤＶＤビデオパッケージ用陳列棚に適用した場合の第１実施形態を示す正面図である。
【図２】図１のＡ矢視図である。
【図３】図１のＢ−Ｂ  線における側断面図である。
【図４】図３のＣ部拡大部分における棚ユニットの正面図である。
【図５】同棚ユニットの側断面図である。
【図６】同棚ユニットの部分の側断面図である。
【図７】同棚ユニットのフック部の正面図（Ａ）と側面図（Ｂ）である。
【図８】同他の種類の棚ユニットの斜視図であり、棚ユニットに対するＤＶＤビデオパッケージの格納形態及び展示用ラベルの装着状態を示す斜視図である。
【図９】本発明をＤＶＤビデオパッケージ用陳列棚に適用した場合の第２実施形態を示す陳列棚の断面図である。
【図１０】同斜視図である。
【符号の説明】
【００３８】
１００，１０２  壁板ユニット
１０１  コーナー部ユニット
１０，５０  土台
１２  フレーム
１４，１４Ａ，１４Ｂ      壁板
１８  天板
２０  側板
２１  ステージ
２２  突出部
２４  係止孔
２６  棚ユニット
２８  モニターテレビ
３０  光源
３１  立ち上げ部
３２  棚板部、３２ａ  背板、３２ｂ  底板、
３４  側板部
３６  フック部、３６ａ  ベース、３６ｂ  フック、３６ｃ  基部
３８  商品
３８ａ  タイトル面
４０  前面板
４２  保持部
４４  展示用ラベル
５０  突出縁部
５１  支持片部
【図１】
2005168985.tif 000003
【図２】
2005168985.tif 000004
【図３】
2005168985.tif 000005
【図４】
2005168985.tif 000006
【図５】
2005168985.tif 000007
【図６】
2005168985.tif 000008
【図７】
2005168985.tif 000009
【図８】
2005168985.tif 000010
【図９】
2005168985.tif 000011
【図１０】
2005168985.tif 000012